(57)【要約】【課題】製造効率が可及的に高く、人件費等が安い諸外国から輸入された手袋に対しても価格競争にも耐え得る構成を具備した手袋を提供することを目的とする。【解決手段】本考案にかかる手袋は、手袋の掌側のパーツと手の甲側のパーツを縫合して手袋の形態にした手袋であって、前記手袋の掌側のパーツと手の甲側のパーツの縫合部分が手袋の小指部分側の側面に位置しないように且つ前記縫合部分が手の甲側の指部分とそれに隣接する指部分との間の股部分に位置するように、手袋の掌側のパーツと手の甲側のパーツを形成した 。【選択図】図３
0003178485.tif 000002
【実用新案登録請求の範囲】
【請求項１】
手袋の掌側のパーツと手の甲側のパーツを縫合して手袋の形態にした手袋であって、
前記手袋の掌側のパーツと手の甲側のパーツの縫合部分が手袋の小指部分側の側面に位置しないように且つ前記縫合部分が手の甲側の指部分とそれに隣接する指部分との間の股部分に位置するように、手袋の掌側のパーツと手の甲側のパーツを形成したことを特徴とする。
【請求項２】
前記手袋の掌側のパーツと手の甲側のパーツの縫合部分が手袋の手の甲側の小指部分と薬指部分との間の股部分から手首側に指長手方向に沿って形成されていることを特徴とする請求項１記載の手袋。
【請求項３】
前記手袋の掌側のパーツと手の甲側のパーツが１枚のシートから構成され、且つかかるシートが本革製のものであることを特徴とする請求項２記載の手袋。
【請求項４】
前記手袋の掌側のパーツと手の甲側のパーツの各下端部に、該手袋の掌側のパーツと手の甲側のパーツとが縫合された状態で、前記両下端部の間に略砲弾状のスリットが形成され、
前記スリットに、シート状の状態において略扇状のフレア部分が縫着されている、
ことを特徴とする請求項３記載の手袋。
【請求項５】
前記手袋の掌側のパーツと手の甲側のパーツが１枚のシートから構成され、且つかかるシートが本革製のものであることを特徴とする請求項４記載のレスキュー用の手袋。
【考案の詳細な説明】
【技術分野】
【０００１】
この考案は、レスキュー用手袋としても好適な、はき心地の良い手袋を、可及的に効率良く製造することができる手袋に関する。
ここで、レスキュー用手袋とは、「ほふく（匍匐）前進」やロープワーク等をおこなうことがある、消防あるいは自衛隊等のレスキュー隊員「あるいは自衛隊員等（この明細書および特許請求の範囲において、レスキュー隊員という）」が使用するのに好適な手袋をいう。
【背景技術】
【０００２】
はき心地の良い手袋は、手の形状にぴったりとフィットさせるために、該手袋を構成するパーツが多く、したがって、縫合箇所も一般の作業用手袋に比べて非常に多く、このため、製造効率が低くなり、製造原価が高くなってしまう。
また、レスキュー隊員は、災害現場等における任務の過酷さゆえにはき心地の良い手袋を使用する。例えば、レスキュー隊員は、かかる災害現場等において、崩壊した建屋等の高さ的に低い空間に進入して、被災者等を救出することが多々ある。
このような場合、レスキュー隊員は、所謂「ほふく前進」して、低い姿勢を保ちつつ目的の位置まで進入することになるが、その場合に、手袋が手にフィットしていないと迅速な行動がおこなえない。つまり、前記「ほふく前進」の場合の手は、拳状に握った状態で小指側の手の側面を床面に当接させて、足の伸縮動作と調和させて左右の手を片方づつ前方に動かすことによって、前方に体を移動させて進んでゆくが、手袋の中で手が遊んだ状態であると、効率的に前進することができない。また、ロープワークにおいても、同様のことが言える。このため、レスキュー用の手袋として、手にフィットした、はき心地の良い手袋が使用される。
【先行技術文献】
【特許文献】
【０００３】
このようなレスキュー用の手袋として、特許文献１等がある。
【特許文献１】実用新案登録第３０４７７４１号公報
【考案の概要】
【考案が解決しようとする課題】
【０００４】
しかしながら、前述したような手袋の場合、小指側の手袋の側部に、該手袋の掌側のパーツと手の甲側のパーツとの縫合部位が位置し、縫合寸法が大きくなるため、縫製に手間がかかり、製造効率の点で劣ることになる。また、手袋のはき心地の点からは、小指の側面に縫合箇所が位置するため、前述のように「ほふく前進」するような状況で使用されると、手の小指の側面部分に違和感を生じ、また、その部分の皮膚を痛めることがある。
前記のような構成の手袋では、人件費等が安い諸外国から安価な種々の手袋が輸入されると、価格競争において到底太刀打ちすることができない。つまり、手袋のメーカも、我が国の他の分野のメーカと同じ状況に置かれているのが現状である。
本考案はこのような状況に鑑みておこなわれたもので、はき心地の良い手袋であっても、製造効率が可及的に高く、人件費等が安い諸外国から輸入された手袋に対しても価格競争にも耐え得る構成を具備し、またレスキュー用の手袋としても好適な手袋を提供することを目的とする。
【課題を解決するための手段】
【０００５】
本考案にかかる手袋は、手袋の掌側のパーツと手の甲側のパーツを縫合して手袋の形態にした手袋であって、
前記手袋の掌側のパーツと手の甲側のパーツの縫合部分が手袋の小指部分側の側面に位置しないように且つ前記縫合部分が手の甲側の指部分とそれに隣接する指部分との間の股部分に位置するように、手袋の掌側のパーツと手の甲側のパーツを形成したことを特徴とする。
【０００６】
前述のように構成された手袋によると、前記手袋の掌側のパーツと手の甲側のパーツの縫合する寸法を短くできるため、極めて効率的に手袋の縫製をすることができる。
また、手袋の掌側のパーツと手の甲側のパーツの縫合箇所が、手袋の小指部分の側面且つ掌部分に位置しないため、通常の手袋として使用する際にも、レスキュー用手袋として使用し、ほふく前進しても、手袋の小指部分の側面で違和感を生じることがなく、また長時間ほふく前進をおこなっても、小指の側面部分の皮膚を損傷するようなことはない。また、ロープワーク等しても、掌部分に縫合箇所が位置しないため、違和感を感じるようなこともない。
【０００７】
前記手袋において、前記手袋の掌側のパーツと手の甲側のパーツの縫合部分が手袋の手の甲側の小指部分と薬指部分との間の股部分から手首側に指長手方向に沿って形成されていると、小指の先端から手首部分まで縫製していた「従来の手袋」に比べて、前記縫合部分の長さを最も短くすることができる点で好ましい手袋となる。
【０００８】
前記手袋の掌側のパーツと手の甲側のパーツの各下端部には、該手袋の掌側のパーツと手の甲側のパーツとが縫合された状態で、前記両下端部の間に略砲弾状のスリットが形成され、該スリットに、シート状の状態において略扇状のフレア部分が縫着されていると、手袋に手を入れるときに、手袋の手首部分が拡がってはきやすくなるとともに、半球状に突設している手首のくるぶし部分がフレア部分に位置する又は隣接するため、該くるぶし部分が無用に締めつけられて違和感を感じることがなく、該手袋を手にはめた状態で、手首を締めつけるリストバンドを引っ張って手首を締めつける際にも、前記くるぶし部分が締めるのを邪魔するようなことがない、という種々の作用効果を奏する手袋となる。
【０００９】
前記手袋において、前記手袋の掌側のパーツと手の甲側のパーツが１枚のシートから構成され、且つかかるシートが本革製のものであると、手袋の縫製部位が極端に少なくなることから、縫製が簡単で且つ迅速におこなえ、しかも縫製箇所が少ないことからはき心地の良い、好ましい手袋を実現することができる。また、シートが本革製のものであると、手に良くなじむ点で好ましい手袋となる。
【考案の効果】
【００１０】
本考案にかかる手袋によると、手袋の製造効率を可及的に高められることから、人件費等が安い諸外国から輸入された手袋に対しても、価格競争にも耐え得る構成を具備した手袋となる。また、レスキュー用の手袋としても好適な手袋となる。
【００１１】
また、非熟練者であっても、簡単に且つ迅速に縫製できるため、従来に比べて製造原価を大きく低減することができる。
【図面の簡単な説明】
【００１２】
【図１】本考案の実施例にかかる手袋の構成を示す手袋の斜視図である。
【図２】図１に示す手袋の各パーツを示す図である。
【図３】図１に示す手袋を手の甲側から見た図である。
【図４】図１に示す手袋を掌側から見た図である。
【図５】図１に示す手袋の縫合部分とその下端方のフレア部分を掌側から見た部分構成図である。
【考案を実施するための形態】
【００１３】
（実施例）
以下、本考案の実施例にかかる手袋を、図面を参照しながら具体的に説明する。
【００１４】
図１において、Ａはレスキュー用としてもあるいは通常の作業用等としても好適な手袋で、かかる手袋Ａは、図２に図示する、各パーツを縫合することによって、手袋の形態に形成されている。
つまり、本手袋Ａは、１枚の本革シート１で構成された親指部分がカットされている手袋の掌側のパーツ１Ａと手の甲側のパーツ１Ｂと、別のシートからなる、親指部分のパーツ１Ｃと、さらにこの実施例では、人指し指部分の中指側の側部のパーツ１Ｄと、中指部分の人指し指側と薬指側の各側部のパーツ１Ｅ，１Ｆと、薬指部分の中指側と小指側の各側部のパーツ１Ｇ，１Ｈと、小指部分の薬指側の側部のパーツ１Ｊとを有する。さらに、この手袋Ａは、手首部分のリストバンド１Ｌと、フレア部分１ｍと弾性バンド１ｎからなるスカート部１Ｍとを有する。
そして、前記パーツ１Ｃ乃至１Ｊは、素材的には、本革が使用されている。
【００１５】
前記手袋の掌側のパーツ１Ａと手の甲側のパーツ１Ｂは、前述のように１枚のシートからなり、これらのパーツ１Ａ，１Ｂの縫合部分Ｌ１が手袋の小指部分側の側面に位置しないように且つ前記縫合部分が手の甲側の指部分とそれに隣接する指部分との間の股部分に位置するように形成されている。つまり、この実施例の場合、手袋の掌側のパーツ１Ａと手の甲側のパーツ１Ｂの縫合部分が、手袋の小指部分と薬指部分の間の股の部分に形成されている。また、手袋の掌側のパーツ１Ａと手の甲側のパーツ１Ｂが１枚のシートからなっていることから、該手袋の掌側のパーツ１Ａと手の甲側のパーツ１Ｂのもう一方の端、つまり、手袋の親指部分の端は図２，図５に図示するように連続している。また、前記手袋の掌側のパーツ１Ａと手の甲側のパーツ１Ｂの各下端部には、該手袋の掌側のパーツ１Ａと手の甲側のパーツ１Ｂとが縫合された状態で、前記両下端部の間に略砲弾状のスリット１Ｋが形成されている。そして、前記スリット１Ｋには、シート状の状態において図２，図５に図示するような略扇状の前記フレア部分１ｍが縫着され、手袋Ａの手首部分が、手を入れるときに拡がってはきやすいように構成されている。このように、前記縫合部分Ｌ１の下方に前述のようにフレア部分１ｍが配置されることによって、前記効果の他に、半球状に突設する手首のくるぶし部分がかかるフレア部分１ｍに略位置するため、該くるぶし部分が締めつけられて違和感を感じることがないという効果を奏する。さらには、手袋Ａが完成した状態で、該手袋Ａを手にはめた状態で、前記リストバンド１Ｌ部分を引っ張って手首を所謂締める際にも、前記くるぶし部分が該締めるのを邪魔するようなことがないという効果を奏する。
【００１６】
ところで、この手袋Ａの製造工程としては、各指部分の側部のパーツの基端部１ｂ同士を縫合する。つまり、前記人指し指部分の中指側の側部のパーツ１Ｄの基端部１ｂと前記中指部分の人指し指側のパーツ１Ｅの基端部１ｂとを縫合する。また、前記中指部分の薬指側の側部のパーツ１Ｆの基端部１ｂと前記薬指部分の中指側の側部のパーツ１Ｇの基端部１ｂとを縫合する。さらに、前記薬指部分の小指側の側部のパーツ１Ｈの基端部１ｂと前記小指部分の薬指側の側部のパーツ１Ｊの基端部１ｂとを縫合する。
そして、次に、前記各指部分の側部のパーツの基端部１ｂ同士の縫合が終了すると、これら縫合したものを対応する手の甲側の各指部分に縫着し、かかる縫合に際して、各パーツの各指部分の側部の先端同士を縫合する。
しかし、これに代えて、前記各側部のパーツを直接対応する指部分の側部にそれぞれ縫着してもよい。つまり、前記人指し指部分の中指側の側部のパーツ１Ｄを手の甲側のパーツ１Ｂの人指し指部分の側部に、且つ、前記中指部分の人指し指側と薬指側の各側部のパーツ１Ｅ，１Ｆを手の甲側のパーツ１Ｂの中指部分の側部に、且つ、前記薬指部分の中指側と小指側の各側部のパーツ１Ｇ，１Ｈを手の甲側のパーツ１Ｂの薬指部分の側部に、さらに、前記小指部分の薬指側の側部のパーツ１Ｊを手の甲側のパーツ１Ｂの小指部分に、それぞれ縫着する。また、前記縫着によって隣接した、前記パーツ１Ｄと１Ｅ、前記パーツ１Ｆと１Ｇ、 前記パーツ１Ｈと１Ｊの先端部分と付け根部分同士を縫合してもよい。
【００１７】
前記各指部分の側部のパーツ同士あるいは各指部分への縫着は、縫着部分のみ左右から重ねた状態で、所謂「重ね縫い」の形態でおこなわれる。このため、縫合部分では、嵩張ることがなく、はき心地の良い手袋Ａとなる。
【００１８】
また、次に、あるいは前記各縫製に先立って、前記本革シート１のカットされた開口部分１ｄ（図２参照）に、前記親指部分のパーツ１Ｃを縫着する。かかる縫着も、縫着部分のみ左右から重ねた状態で、所謂「重ね縫い」の形態でおこなわれる。このため、縫合部分では、嵩張ることがなく、はき心地の良い手袋Ａとなる。
【００１９】
また、次に、あるいは前記各縫製に先立って、前記本革シート１の手首部分の一端（下端）に、図２に示す、前記スカート部１Ｍの弾性バンド１ｎと、リストバンド１Ｌとを縫着する。また、前記スカート部１Ｍのフレア部分（水かき部分ともいう）１ｍを、前記本革シート１の一端の下端部１ｆに縫着する。
【００２０】
しかる後に、手袋Ａの裏側の面が表になるような状態で、前記掌側のパーツ１Ａと手の甲側のパーツ１Ｂの縫合部分である、前記本革シート１の両端１ｓ，１ｕ同士を、両方の端が同じ方向になるように所謂「合わせ縫い」の形態で縫着するとともに、手袋Ａの人指し指部分Ａ１、中指部分Ａ２、薬指部分Ａ３、小指部分Ａ４同士を、端が同じ方向になるように所謂「合わせ縫い」の形態で縫着する。
そして、前記スカート部１Ｍのフレア部分１ｍの自由端を、前記本革シート１のもう一方の一端の下端部１ｆに所謂「重ね縫い」の形態で縫着する。
【００２１】
前述のような工程を経て製造される本手袋によると、縫製作業の多くの部分をシート状の状態のままでおこなうことができるため、熟練者でなくとも、簡単に且つ迅速に縫製することができる。特に、前述のような構成の手袋Ａでは、本革シート１の両端１ｓ，１ｕの縫合が、手首部分から、小指部分と薬指部分の股の部分まで、おこなうだけなので、つまり、縫合部分の長さが略半分（正確には半分以下）になり、しかも所謂「合わせ縫い」の形態でおこなうため、極めて簡単に且つ短時間でおこなうことができる。
【００２２】
ところで、前記実施例にかかる手袋Ａの場合、手袋の本革シート１の両端１ｓ，１ｕの縫合が、つまり、前記手袋の掌側のパーツと手の甲側のパーツの縫合部分が、手袋の手の甲側の小指部分と薬指部分との間に実線Ｌ１で示すように形成されているが、これに代えて、前記縫合部分が、図３に二点鎖線Ｌ２，Ｌ３で示すように、薬指部分と中指部分との間に、あるいは中指部分と人指し指部分との間に形成されていてもよく、あるいは、他の部分、例えば、小指部分、薬指部分、中指部分、人指し指部分のいずれかの部分の幅方向の中央部分に形成されていても、あるいは指長手方向に対して斜め方向に縫合されても、本考案の基本的な作用効果を奏することができることは言うまでもない。
【００２３】
そして、前述のような工程を経て、本実施例にかかる手袋Ａができあがる。
【００２４】
なお、前記実施例は単なる実施例であって本考案の技術的思想を逸脱しない範囲で、種々の形態で実施できることは言うまでもない。
【産業上の利用可能性】
【００２５】
本考案にかかる手袋は、手袋の産業分野において利用することができる。
【符号の説明】
【００２６】
Ａ …手袋
１…本革シート
１Ａ…手袋の掌側のパーツ
１Ｂ…手の甲側のパーツ
１ｓ，１ｕ …本革シートの両端（掌側のパーツと手の甲側のパーツの縫合部分）
【図１】
0003178485.tif 000003
【図２】
0003178485.tif 000004
【図３】
0003178485.tif 000005
【図４】
0003178485.tif 000006
【図５】
0003178485.tif 000007
【手続補正書】
【提出日】平成24年7月11日(2012.7.11)
【手続補正１】
【補正対象書類名】実用新案登録請求の範囲
【補正対象項目名】全文
【補正方法】変更
【補正の内容】
【実用新案登録請求の範囲】
【請求項１】
手袋の掌側のパーツと手の甲側のパーツを縫合して手袋の形態にした手袋であって、
前記手袋の掌側のパーツと手の甲側のパーツの縫合部分が手袋の小指部分側の側面に位置しないように且つ前記縫合部分が手の甲側の指部分とそれに隣接する指部分との間の股部分に位置するように、手袋の掌側のパーツと手の甲側のパーツを形成したことを特徴とする手袋。
【請求項２】
前記手袋の掌側のパーツと手の甲側のパーツの縫合部分が手袋の手の甲側の小指部分と薬指部分との間の股部分から手首側に指長手方向に沿って形成されていることを特徴とする請求項１記載の手袋。
【請求項３】
前記手袋の掌側のパーツと手の甲側のパーツが１枚のシートから構成され、且つかかるシートが本革製のものであることを特徴とする請求項２記載の手袋。
【請求項４】
前記手袋の掌側のパーツと手の甲側のパーツの各下端部に、該手袋の掌側のパーツと手の甲側のパーツとが縫合された状態で、前記両下端部の間に略砲弾状のスリットが形成され、
前記スリットに、シート状の状態において略扇状のフレア部分が縫着されている、
ことを特徴とする請求項３記載の手袋。
【請求項５】
前記手袋の掌側のパーツと手の甲側のパーツが１枚のシートから構成され、且つかかるシートが本革製のものであることを特徴とする請求項４記載のレスキュー用の手袋。